(57)【特許請求の範囲】
【請求項１】
ワイヤレス通信のための装置において、
目標起動時間（ＴＷＴ）に対するタイミング情報と、前記タイミング情報を適用するＴＷＴの識別とを含むフレームを発生させる手段と、
送信のために前記フレームを出力する手段とを具備し、
前記フレームは、前記識別によって識別されたＴＷＴに対して以前に示されたサービス期間外での送信のために出力される装置。
【請求項２】
前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される請求項１記載の装置。
【請求項３】
前記フレームは、制御応答フレームを含む請求項１記載の装置。
【請求項４】
前記識別を運ぶフィールドのサイズは、少なくとも３ビットである請求項２記載の装置。
【請求項５】
ワイヤレス通信のための方法において、
目標起動時間（ＴＷＴ）に対するタイミング情報と、前記タイミング情報を適用するＴＷＴの識別とを含むフレームを発生させることと、
送信のために前記フレームを出力することと、
前記フレームは、前記識別によって識別されたＴＷＴに対して以前に示されたサービス期間外での送信のために出力される方法。
【請求項６】
前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される請求項５記載の方法。
【請求項７】
前記フレームは、制御応答フレームを含む請求項５記載の方法。
【請求項８】
ワイヤレス通信のための装置において、
フレームを受信する手段と、
目標起動時間（ＴＷＴ）に対するタイミング情報と、前記タイミング情報を適用するＴＷＴの識別とを、前記フレームから取得する手段と、
前記フレームから取得されたタイミング情報に基づいて、前記識別されたＴＷＴに対する起動期間を更新する手段とを具備し、
前記フレームは、前記識別によって識別されたＴＷＴに対して以前に示されたサービス期間外で受信される装置。
【請求項９】
処理システムは、前記フレーム中の、アドレスフィールド、タイムスタンプフィールド、または、ＴＷＴに対するタイミング情報を運ぶフィールドのうちの少なくとも１つの、１つ以上のビットを介して、前記識別を取得するように構成されている請求項８記載の装置。
【請求項１０】
前記フレームは、制御応答フレームを含む請求項８記載の装置。
【請求項１１】
前記識別を運ぶフィールドのサイズは、少なくとも３ビットである請求項９記載の装置。
【請求項１２】
ワイヤレス通信のための方法において、
フレームを受信することと、
目標起動時間（ＴＷＴ）に対するタイミング情報と、前記タイミング情報を適用するＴＷＴの識別とを、前記フレームから取得することと、
前記フレームから取得されたタイミング情報に基づいて、前記識別されたＴＷＴに対する起動期間を更新することとを含み、
前記フレームは、前記識別によって識別されたＴＷＴに対して以前に示されたサービス期間外で受信される方法。
【請求項１３】
前記識別は、前記フレーム中の、アドレスフィールド、タイムスタンプフィールド、または、ＴＷＴに対するタイミング情報を運ぶフィールドのうちの少なくとも１つの、１つ以上のビットを介して取得される請求項１２記載の方法。
【請求項１４】
前記フレームは、制御応答フレームを含む請求項１２記載の方法。
【請求項１５】
請求項５ないし７、または、請求項１２ないし１４のうちのいずれか１項記載の方法を実行するための命令を具備するコンピュータプログラム。
【発明の詳細な説明】
【関連出願への相互参照】
【０００１】
［０００１］
本出願は、２０１３年１２月２７日に出願された米国仮出願番号第６１／９２１，４０５号と、２０１４年９月１５日に出願された米国特許出願番号第１４／４８６，８８７号に対する優先権を主張し、その両方は、その全体が参照によってここに組み込まれている。
【分野】
【０００２】
［０００２］
本開示のある態様は、一般的に、ワイヤレス通信に関連し、さらに特に、目標起動時間メッセージ識別に関連する。
【背景】
【０００３】
［０００３］
ワイヤレス通信ネットワークは、音声、ビデオ、パケットデータ、メッセージング、ブロードキャスト等のような、さまざまな通信サービスを提供するために幅広く配備されている。これらのワイヤレスネットワークは、利用可能なネットワークリソースを共有することによって、複数のユーザをサポートすることができる多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークを含んでいる。
【０００４】
［０００４］
より大きなカバレッジと増加された通信範囲とに対する要望を取り扱うために、さまざまなスキームが開発されている。１つのこのようなスキームは、電気電子技術者学会（ＩＥＥＥ）８０２．１１ａｈ専門調査団によって開発されている、準１ＧＨｚ周波数範囲（例えば、米国における９０２〜９２８ＭＨｚ範囲中での動作すること）である。他のＩＥＥＥ８０２．１１グループよりも大きなワイヤレス範囲を有し、より小さな妨害損失を有する周波数範囲を利用するための要望により、この発展は推進されている。
【概要】
【０００５】
［０００５］
本開示のある態様は、ワイヤレス通信のための装置を提供する。装置は、典型的に、目標起動時間（ＴＷＴ）に対するタイミング情報と、タイミング情報を適用するＴＷＴの識別とを含むフレームを発生させるように一般的に構成されている処理システムと、送信のためにフレームを出力するように構成されているインターフェースとを含んでいる。
【０００６】
［０００６］
本開示のある態様は、ワイヤレス通信のための方法を提供する。方法は、一般的に、目標起動時間（ＴＷＴ）に対するタイミング情報と、タイミング情報を適用するＴＷＴの識別とを含むフレームを発生させることと、送信のためにフレームを出力することとを含んでいる。
【０００７】
［０００７］
本開示のある態様は、ワイヤレス通信のための装置を提供する。装置は、典型的に、フレームを受信するように一般的に構成されているインターフェースと、目標起動時間（ＴＷＴ）に対するタイミング情報と、タイミング情報を適用するＴＷＴの識別とを、フレームから取得し、フレームから取得されたタイミング情報に基づいて、識別されたＴＷＴに対する起動期間を更新するように一般的に構成されている処理システムとを含んでいる。
【０００８】
［０００８］
本開示のある態様は、ワイヤレス通信のための方法を提供する。方法は、フレームを受信することと、目標起動時間（ＴＷＴ）に対するタイミング情報と、タイミング情報を適用するＴＷＴの識別とを、フレームから取得することと、フレームから取得されたタイミング情報に基づいて、識別されたＴＷＴに対する起動期間を更新することとを一般的に含んでいる。
【０００９】
［０００９］
本開示のある態様はまた、上記で説明した動作を実行するための、さまざまな装置、方法、および、コンピュータプログラムプロダクトを提供する。
【図面の簡単な説明】
【００１０】
［００１０］
本開示の上記で記載した特徴を詳細に理解できるように、上記で簡単に要約されたものの、さらに特定の説明を、態様を参照して行い、態様のうちのいくつかを、添付された図面において図示している。しかしながら、添付された図面は、本開示のある典型的な態様のみを図示しており、したがって、その範囲を限定するものと考えるべきではなく、説明は、他の等しく効果的な態様を認めることに着目すべきである。
【図１】［００１１］  図１は、本開示のある態様にしたがった、例示的なワイヤレス通信ネットワークのダイヤグラムを図示している。
【図２】［００１２］  図２は、本開示のある態様にしたがった、例示的なアクセスポイントとユーザ端末のブロックダイヤグラムを図示している。
【図３】［００１３］  図３は、本開示のある態様にしたがった、例示的なワイヤレスデバイスのブロックダイヤグラムを図示している。
【図４】［００１４］  図４は、本開示のある態様にしたがった、中継システムの例示的なツリー構造を図示している。
【図５】［００１５］  図５は、本開示のある態様にしたがった、ワイヤレスデバイスによるワイヤレス通信のための例示的な動作のブロックダイヤグラムを図示している。
【図５Ａ】［００１６］  図５Ａは、図５中に示されている動作を実行することができる例示的な手段を図示している。
【図６】［００１７］  図６は、本開示のある態様にしたがった、アクセスポイントによるワイヤレス通信のための例示的な動作のブロックダイヤグラムを図示している。
【図６Ａ】［００１８］  図６Ａは、図６中に示されている動作を実行することができる例示的な手段を図示している。
【図７】［００１９］  図７は、本開示の態様にしたがった、階層起動期間の例示的な使用を図示している。
【図８】［００２０］  図８は、本開示のある態様にしたがった、ワイヤレス通信のための例示的な動作のブロックダイヤグラムを図示している。
【図８Ａ】［００２１］  図８Ａは、図８中に示されている動作を実行することができる例示的な手段を図示している。
【図９】［００２２］  図９は、本開示のある態様にしたがった、ワイヤレス通信のための例示的な動作のブロックダイヤグラムを図示している。
【図９Ａ】［００２３］  図９Ａは、図９中に示されている動作を実行することができる例示的な手段を図示している。
【詳細な説明】
【００１１】
［００２４］
本開示のある態様にしたがうと、フレーム中に目標起動時間（以後「ＴＷＴ」）情報を包含することは、データ送信を受信するために局が起動すべきときを局に知らせることができるようにし、よって、局が、ＴＷＴまでスリープできるようにすることによって、電力セーブを可能にする。複数のＴＷＴフローが局に割り当てられるかもしれず、これは結果的に、ＴＷＴサービス期間外に次のＴＷＴを割り当てるＴＷＴフローを示すことが困難になる。本開示の態様は、シグナリングされている特定のＴＷＴフローの表示を含めることをもたらし、これは、予め規定された時間期間外にＴＷＴを設定する能力を可能にする。
【００１２】
［００２５］
本開示の態様は、目標起動時間（ＴＷＴ）と、制限されたアクセスウィンドウ（ＲＡＷ）とのような、ある選択的送信メカニズムを伴うメカニズムに対する強化をもたらす。シグナリングされている特定のＴＷＴフローの表示を提供することによって、予め規定されたサービス期間外の明示的なＴＷＴシグナリングに対するサポートを提供してもよい。
【００１３】
［００２６］
付随する図面を参照して、開示のさまざまな態様を以下でさらに十分に説明する。しかしながら、この開示は、多くの異なる形態で具現化してもよく、この開示全体を通して提示される、何らかの特定の構造または機能に限定されるものとして解釈すべきではない。むしろ、この開示が、徹底して完全なものになるように、および、本開示の範囲を当業者に十分に伝えるために、これらの態様を提供する。ここでの教示に基づいて、本開示の他の何らかの態様から独立して、または、本発明の他の何らかの態様と組み合わせて実現するか否かにかかわらず、本開示の範囲は、ここで開示した開示の何らかの態様をカバーすることを意図していることを、当業者は認識すべきである。例えば、ここで述べる任意の数の態様を使用して、装置を実現してもよく、または、方法を実施してもよい。さらに、ここで述べる本発明のさまざまな態様に加えて、または、ここで述べる開示のさまざまな態様以外の、他の構造、機能性、または、構造および機能性を使用して実施される、このような装置または方法をカバーすることを、本発明の範囲は意図している。ここに開示した開示の任意の態様は、請求項の１つ以上のエレメントにより具現化してもよいことを理解すべきである。
【００１４】
［００２７］
特定の態様をここで説明するが、これらの態様の多くのバリエーションおよび置換が本開示の範囲内に入る。好ましい態様のいくつかの利益および利点に言及するが、本開示の範囲は、特定の利益、使用、または、目的に限定されることを意図していない。むしろ、本開示の態様は、異なるワイヤレス技術、システムコンフィギュレーション、ネットワーク、および、送信プロトコルに広く適用可能であるように意図されており、そのうちのいくつかは、例として、図面中で、および、好ましい態様の以下の説明中で示されている。詳細な説明および図は、限定よりむしろ、本開示の単なる例示であり、本開示の範囲は、添付の特許請求の範囲およびそれらの均等物により規定される。
【例示的なワイヤレス通信システム】
【００１５】
［００２８］
ここで説明する技術は、直交多重化スキームに基づいている通信システムを含んでいる、さまざまなブロードバンドワイヤレス通信システムのために使用してもよい。このような通信システムの例は、空間分割多元接続（ＳＤＭＡ）、時分割多元接続（ＴＤＭＡ）、直交周波数分割多元接続（ＯＦＤＭＡ）システム、単一搬送波周波数分割多元接続（ＳＣ−ＦＤＭＡ）システム等を含んでいる。ＳＤＭＡシステムは、複数のユーザ端末に属するデータを同時に送信するために、異なる方向を十分に利用してもよい。ＴＤＭＡシステムは、送信信号を、異なるタイムスロットに分割することによって、複数のユーザ端末が、同一の周波数チャネルを共有できるようにしてもよく、各タイムスロットは、異なるユーザ端末に割り当てられている。ＯＦＤＭＡシステムは、全体的なシステム帯域幅を複数の直交副搬送波に区分する変調技術である、直交周波数分割多重化（ＯＦＤＭ）を利用している。これらの副搬送波は、トーン、ビン等とも呼ぶことがある。ＯＦＤＭにより、各副搬送波は、データで独立して変調してもよい。ＳＣ−ＦＤＭＡシステムは、システム帯域幅に渡って分散された副搬送波上で送信するために、インターリーブされたＦＤＭＡ（ＩＦＤＭＡ）を、隣接副搬送波のブロック上で送信するために、局所的なＦＤＭＡ（ＬＦＤＭＡ）を、または、隣接副搬送波の複数のブロック上で送信するために、拡張ＦＤＭＡ（ＥＦＤＭＡ）を利用してもよい。一般的に、変調シンボルは、ＯＦＤＭにより周波数ドメイン中で、および、ＳＣ−ＦＤＭＡにより時間ドメイン中で送られる。
【００１６】
［００２９］
ここでの教示は、さまざまなワイヤードまたはワイヤレス装置（例えば、ノード）中に組み込んでも（例えば、さまざまなワイヤードまたはワイヤレス装置内で実現しても、または、さまざまなワイヤードまたはワイヤレス装置により実行しても）よい。いくつかの態様において、ここでの教示にしたがって実現されるワイヤレスノードは、アクセスポイントまたはアクセス端末を備えていてもよい。
【００１７】
［００３０］
図１は、本開示の態様を実行してもよい、アクセスポイントとユーザ端末とを有する多元接続複数入力複数出力（ＭＩＭＯ）システム１００を図示している。例えば、アクセスポイント（以後「ＡＰ」）１１０は、図８中の動作８００を実行するか、または、図８中の動作８００を指示して、示されたＴＷＴに対する時間情報を含んでいるフレームを発生させて送信するように構成されていてもよい。ユーザ端末（以後「ＵＴ」）１２０は、図９中の動作９００を実行するか、または、図９中の動作９００を指示して、示されたＴＷＴに対する時間情報を含んでいるフレームを受信して、それにしたがって、示されたＴＷＴに対する待ち期間を更新するように構成されていてもよい。
【００１８】
［００３１］
簡潔にするために、１つのアクセスポイント１１０のみを、図１中で示している。アクセスポイントＡＰは、ノードＢ、無線ネットワーク制御装置（「ＲＮＣ」）、進化型ノードＢ（ｅＮＢ）、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または、他の何らかの専門用語のものを含んでいてもよく、これらのものとして実現してもよく、あるいは、これらのものとして知られていてもよい。ここで使用するとき、用語ＡＰは、一般的に、ユーザ端末と通信する局を指し、そして、基地局または他の何らかの専門用語のものとして呼ばれることがある。
【００１９】
［００３２］
ユーザ端末は、固定されているか、または、移動体であってもよく、加入者局、加入者ユニット、移動局（ＭＳ）、遠隔局、アクセス端末（ＡＴ）、ユーザエージェント、ユーザデバイス、ユーザ機器（ＵＥ）、ユーザ局、または、他のいくつかの専門用語のものとして実現してもよく、これらのものとして知られていてもよい。いくつかのインプリメンテーションにおいて、アクセス端末は、セルラ電話機、コードレス電話機、セッション開始プロトコル（「ＳＩＰ」）電話機、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、または、ワイヤレスモデムに接続される他の何らかの適切な処理デバイスを含んでいてもよい。したがって、ここで教示する１つ以上の態様は、電話機（例えば、セルラ電話機またはスマートフォン）中に、コンピュータ（例えば、ラップトップ）中に、タブレット中に、ポータブル通信デバイス中に、ポータブルコンピューティングデバイス（例えば、パーソナルデータアシスタント）中に、エンターテインメントデバイス（例えば、音楽デバイスまたはビデオデバイス、あるいは、衛星ラジオ）中に、グローバルポジショニングシステム（ＧＰＳ）デバイス中に、あるいは、ワイヤレス媒体またはワイヤード媒体を介して通信するように構成されている他の何らかの適切なデバイス中に、組み込まれていてもよい。いくつかの態様において、ノードは、ワイヤレスノードである。このようなワイヤレスノードは、例えば、ワイヤード通信リンクまたはワイヤレス通信リンクを介して、ネットワーク（例えば、インターネットまたはセルラネットワークのような広域ネットワーク）に対する接続性を、または、ネットワークへの接続性を提供してもよい。
【００２０】
［００３３］
ＡＰ１１０は、ダウンリンクおよびアップリンク上の任意の所定の瞬間において、１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピアツーピア通信してもよい。システム制御装置１３０は、アクセスポイントに結合され、アクセスポイントに対して、調整と制御を提供する。
【００２１】
［００３４］
以下の開示の一部分は、空間分割多元接続（ＳＤＭＡ）を介して通信することができるユーザ端末１２０を説明するが、ある態様に対して、ユーザ端末１２０は、ＳＤＭＡをサポートしないいくつかのユーザ端末も含んでいてもよい。よって、このような態様に対して、ＡＰ１１０は、ＳＤＭＡユーザ端末および非ＳＤＭＡユーザ端末の両方と通信するように構成されていてもよい。このアプローチは、より古いバージョンのユーザ端末（「レガシー」局）を、便利に、企業中に配備したままにして、それらの有用なライフタイムを伸ばしてもよい一方、より新しいＳＤＭＡユーザ端末を、適切と考えられるように導入できるようにする。
【００２２】
［００３５］
システム１００は、ダウンリンクおよびアップリンク上でのデータ送信のために、複数の送信アンテナと複数の受信アンテナとを用いる。アクセスポイント１１０は、Ｎａｐ本のアンテナを装備し、ダウンリンク送信のための複数入力（ＭＩ）と、アップリンク送信のための複数出力（ＭＯ）を表す。Ｋ個の選択されたユーザ端末１２０のセットは、集合的に、ダウンリンク送信のための複数出力と、アップリンク送信のための複数入力とを表す。純粋なＳＤＭＡに対して、いくつかの手段により、Ｋ個のユーザ端末に対するデータシンボルストリームが、コード中、周波数中、または、時間中で多重化されていない場合、Ｎａｐ≧Ｋ≧１を有することが望まれる。ＴＤＭＡ技術や、ＣＤＭＡによる異なるコードチャネルや、ＯＦＤＭによる副帯域のディスジョイントセット等を使用して、データシンボルストリームを多重化できる場合、Ｋは、Ｎａｐよりも大きくてもよい。各選択されたユーザ端末は、ユーザ特有のデータをアクセスポイントに送信し、および/または、ユーザ特有のデータをアクセスポイントから受信する。一般的に、各選択されたユーザ端末は、１または複数のアンテナ（すなわち、Ｎｕｔ≧１）を装備していてもよい。Ｋ個の選択されたユーザ端末は、同じ数のアンテナを、または、異なる数のアンテナを有することがある。
【００２３】
［００３６］
ＳＤＭＡシステムは、時分割デュプレックス（ＴＤＤ）システムまたは周波数分割デュプレックス（ＦＤＤ）システムであってもよい。ＴＤＤシステムに対して、ダウンリンクおよびアップリンクは、同じ周波数帯域を共有する。ＦＤＤシステムに対して、ダウンリンクおよびアップリンクは、異なる周波数帯域を使用する。ＭＩＭＯシステム１００は、送信のために、単一の搬送波または複数の搬送波も利用してもよい。各ユーザ端末は、（例えば、コストを低く保つために）単一のアンテナを、または、（例えば、ここで追加のコストをサポートできる場合）複数のアンテナを装備していてもよい。送信／受信を、異なるタイムスロットに分割することによって、ユーザ端末１２０が同一の周波数チャネルを共有し、各タイムスロットが、異なるユーザ端末に割り当てられている場合、システム１００は、ＴＤＭＡシステムであってもよい。
【００２４】
［００３７］
図２は、ＭＩＭＯシステム１００中の、アクセスポイント１１０と、２つのユーザ端末１２０ｍおよび１２０ｘのブロックダイヤグラムを図示している。アクセスポイント１１０は、Ｎｔ本のアンテナ２２４ａないし２２４ｔを装備している。ユーザ端末１２０ｍは、Ｎｕｔ，ｍ本のアンテナ２５２ｍａないし２５２ｍｕを装備し、ユーザ端末１２０ｘは、Ｎｕｔ，ｘ本のアンテナ２５２ｘａないし２５２ｘｕを装備している。アクセスポイント１１０は、ダウンリンクに対する送信エンティティ、および、アップリンクに対する受信エンティティである。各ユーザ端末１２０は、アップリンクに対する送信エンティティ、および、ダウンリンクに対する受信エンティティである。ここで使用するとき、「送信エンティティ」は、ワイヤレスチャネルを介してデータを送信することができる、独立して動作する装置またはデバイスであり、「受信エンティティ」は、ワイヤレスチャネルを介してデータを受信することができる、独立して動作する装置またはデバイスである。以下の記述において、下付「ｄｎ」は、ダウンリンクを示しており、下付「ｕｐ」は、アップリンクを示しており、Ｎｕｐ個のユーザ端末を、アップリンク上での同時送信のために選択してもよく、Ｎｄｎ個のユーザ端末を、ダウンリンク上での同時送信のために選択してもよく、Ｎｕｐは、Ｎｄｎと等しいか、または、等しくなくてもよく、ＮｕｐおよびＮｄｎは、各スケジュール間隔に対して、静的な値であってもよく、または、変化することもある。ビームステアリング、または、他のいくつかの空間処理技術を、アクセスポイントおよびユーザ端末において使用してもよい。
【００２５】
［００３８］
アップリンク上で、アップリンク送信に対して選択された各ユーザ端末１２０において、送信（ＴＸ）データプロセッサ２８８は、データソース２８６からトラフィックデータを受け取り、制御装置２８０から制御データを受け取る。ＴＸデータプロセッサ２８８は、ユーザ端末に対して選択されたレートに関係付けられたコーディングおよび変調スキームに基づいて、ユーザ端末に対するトラフィックデータを処理して（例えば、エンコードし、インターリーブし、変調して）、データシンボルストリームを提供する。ＴＸ空間プロセッサ２９０は、データシンボルストリーム上で空間処理を実行し、Ｎｕｔ，ｍ本のアンテナに対して、Ｎｕｔ，ｍ個の送信シンボルストリームを提供する。各送信機ユニット（ＴＭＴＲ）２５４は、それぞれの送信シンボルストリームを、受け取って、処理して（例えば、アナログに変換し、増幅し、フィルタリングし、そして、周波数アップコンバートして）、アップリンク信号を発生させる。Ｎｕｔ，ｍ個の送信機ユニット２５４は、Ｎｕｔ，ｍ本のアンテナ２５２からアクセスポイントへの送信のためにＮｕｔ，ｍ個のアップリンク信号を提供する。
【００２６】
［００３９］
Ｎｕｐ個のユーザ端末を、アップリンク上での同時送信に対してスケジューリングしてもよい。これらのユーザ端末のそれぞれは、そのデータシンボルストリーム上で空間処理を実行し、その送信シンボルストリームのセットを、アップリンク上でアクセスポイントに送信する。
【００２７】
［００４０］
アクセスポイント１１０において、Ｎａｐ本のアンテナ２２４ａないし２２４ａｐが、アップリンク上で送信しているすべてのＮｕｐ個のユーザ端末からアップリンク信号を受信する。各アンテナ２２４は、それぞれの受信機ユニット（ＲＣＶＲ）２２２に、受信された信号を提供する。各受信機ユニット２２２は、送信機ユニット２５４によって実行される処理に対して相補的な処理を実行し、受信されたシンボルストリームを提供する。ＲＸ空間プロセッサ２４０は、Ｎａｐ個の受信機ユニット２２２からの受信されたＮａｐ個のシンボルストリーム上で受信機空間処理を実行し、Ｎｕｐ個の復元されたアップリンクデータシンボルストリームを提供する。受信機空間処理は、チャネル相関行列反転（ＣＣＭＩ）、最小平均二乗誤差（ＭＭＳＥ）、ソフト干渉消去（ＳＩＣ）、または、他の何らかの技術にしたがって実行される。各復元されたアップリンクデータシンボルストリームは、それぞれのユーザ端末によって送信されたデータシンボルストリームの推定である。ＲＸデータプロセッサ２４２は、そのストリームのために使用されたレートにしたがって、各復元されたアップリンクデータシンボルストリームを処理（例えば、復調し、デインターリーブし、そして、デコード）して、デコードされたデータを取得する。各ユーザ端末に対するデコードされたデータを、記憶のためにデータシンク２４４に、および／または、さらなる処理のために、制御装置２３０に提供してもよい。
【００２８】
［００４１］
ダウンリンク上で、アクセスポイント１１０において、ＴＸデータプロセッサ２１０は、ダウンリンク送信に対してスケジューリングされたＮｄｎ個のユーザ端末に対する、データソース２０８からのトラフィックデータを受け取り、制御装置２３０からのデータを受け取り、ことによると、スケジューラ２３４からの他のデータを受け取る。さまざまなタイプのデータを、異なる伝送チャネル上で送ってもよい。ＴＸデータプロセッサ２１０は、各ユーザ端末に対するトラフィックデータを、そのユーザ端末に対して選択されたレートに基づいて処理する（例えば、エンコードし、インターリーブし、そして、変調する）。ＴＸデータプロセッサ２１０は、Ｎｄｎ個のユーザ端末に対するＮｄｎ個のダウンリンクデータシンボルストリームを提供する。ＴＸ空間プロセッサ２２０は、Ｎｄｎ本のダウンリンクデータシンボルストリーム上で、（本開示において説明した、プリコーディングまたはビーム形成のような）空間処理を実行し、Ｎａｐ本のアンテナに対して、Ｎａｐ個の送信シンボルストリームを提供する。各送信機ユニット２２２は、それぞれの送信シンボルストリームを受け取り、処理して、ダウンリンク信号を発生させる。Ｎａｐ個の送信機ユニット２２２は、Ｎａｐ本のアンテナ２２４からユーザ端末への送信のために、Ｎａｐ個のダウンリンク信号を提供する。
【００２９】
［００４２］
各ユーザ端末１２０において、Ｎｕｔ，ｍ本のアンテナ２５２は、アクセスポイント１１０から、Ｎａｐ個のダウンリンク信号を受信する。各受信機ユニット２５４は、関係付けられたアンテナ２５２から受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリーム上で受信機空間処理を実行し、ユーザ端末に対する、復元されたダウンリンクデータシンボルストリームを提供する。受信機空間処理は、ＣＣＭＩ、ＭＭＳＥまたは他のいくつかの技術にしたがって実行される。ＲＸデータプロセッサ２７０は、復元されたダウンリンクデータシンボルストリームを処理（例えば、復調し、デインターリーブし、そして、デコード）して、ユーザ端末に対するデコードされたデータを取得する。
【００３０】
［００４３］
各ユーザ端末１２０において、チャネル推定器２７８は、ダウンリンクチャネル応答を推定し、ダウンリンクチャネル推定を提供し、これは、チャネル利得推定、ＳＮＲ推定、ノイズ分散等を含んでいてもよい。同様に、チャネル推定器２２８は、アップリンクチャネル応答を推定し、アップリンクチャネル推定を提供する。各ユーザ端末に対する制御装置２８０は、典型的に、ユーザ端末に対する空間フィルタ行列を、そのユーザ端末に対する、ダウンリンクチャネル応答行列Ｈｄｎ，ｍに基づいて導出する。制御装置２３０は、有効アップリンクチャネル応答行列Ｈｕｐ，ｅｆｆに基づいて、アクセスポイントに対する空間フィルタ行列を導出する。各ユーザ端末に対する制御装置２８０は、フィードバック情報（例えば、ダウンリンクおよび／またはアップリンク固有ベクトル、固有値、ＳＮＲ推定、等）をアクセスポイントに送ってもよい。制御装置２３０および２８０も、アクセスポイント１１０およびユーザ端末１２０におけるさまざまな処理ユニットの動作を、それぞれ制御する。
【００３１】
［００４４］
図３は、ＭＩＭＯシステム１００内で用いてもよいワイヤレスデバイス３０２において利用してもよい、さまざまなコンポーネントを図示している。ワイヤレスデバイス３０２は、ここで説明するさまざまな方法を実現するように構成されていてもよいデバイスの例である。ワイヤレスデバイス３０２は、アクセスポイント１１０またはユーザ端末１２０であってもよい。
【００３２】
［００４５］
ワイヤレスデバイス３０２は、プロセッサ３０４を含んでいてもよく、プロセッサ３０４は、ワイヤレスデバイス３０２の動作を制御する。プロセッサ３０４は、中央処理ユニット（ＣＰＵ）としても呼ばれることがある。メモリ３０６は、リードオンリーメモリ（ＲＯＭ）とランダムアクセスメモリ（ＲＡＭ）との両方を含んでいてもよく、命令およびデータをプロセッサ３０４に提供する。メモリ３０６の一部分は、不揮発性ランダムアクセスメモリ（ＮＶＲＡＭ）も含んでいてもよい。プロセッサ３０４は、典型的に、メモリ３０６内に記憶されているプログラム命令に基づいて、論理および演算動作を実行する。メモリ３０６中の命令は、ここで説明する方法を実現するために（例えば、プロセッサ３０４により）実行可能であってもよい。
【００３３】
［００４６］
ワイヤレスデバイス３０２は、ハウジング３０８も含んでいてもよく、ハウジング３０８は、ワイヤレスデバイス３０２とリモートロケーションとの間でデータを送信および受信できるようにする、送信機３１０および受信機３１２を含んでいてもよい。送信機３１０および受信機３１２は、組み合わせて、トランシーバ３１４にしてもよい。単一の送信アンテナ３１６または複数の送信アンテナ３１６を、ハウジング３０８に取り付け、トランシーバ３１４に電気的に結合してもよい。ワイヤレスデバイス３０２は、（示されていない）複数の送信機、複数の受信機、複数のトランシーバも含んでいてもよい。
【００３４】
［００４７］
ワイヤレスデバイス３０２は、信号検出器３１８も備えていてもよく、信号検出器３１８は、トランシーバ３１４によって受信された信号のレベルを検出して定量化しようとするために使用してもよい。信号検出器３１８は、総エネルギー、シンボル当たりの副搬送波毎のエネルギー、電力スペクトル密度、および、他の信号として、このような信号を検出してもよい。ワイヤレスデバイス３０２は、信号を処理する際に使用するために、デジタル信号プロセッサ（ＤＳＰ）３２０も含んでいてもよい。
【００３５】
［００４８］
ワイヤレスデバイス３０２のさまざまなコンポーネントは、バスシステム３２２によって互いに結合してもよく、バスシステム３２２は、データバスに加えて、電力バス、制御信号バス、および、ステータス信号バスを含んでいてもよい。
【例示的な目標起動時間フローＩＤシグナリング】
【００３６】
［００４９］
ワイヤレス通信システムにおいて、電力消費を低減させることが可能なときにはいつでも、デバイスが低電力モード（例えば、１つ以上のコンポーネントが電源切断されるスリープ）に入ることができることが望ましいかもしれない。さらに、コストを低く保つために、制限されたメモリのみを有するデバイスを使用することが望ましいかもしれない。よって、デバイスは、少量のデータしかバッファできないかもしれず、さらに受信することができる前に、データを転送する必要があるかもしれない。
【００３７】
［００５０］
例えば、デバイスがより低い電力モードに入ることができることが望ましいデバイスは、中継器、または、他のさまざまなタイプの機器（例えば、ユーザ機器または局）のようなデバイスを含んでいてもよい。これは、図４中に示しているようなワイヤレス通信システムにおいて、データを受信および／または送信するために適切な時間において、デバイスが依然として確実に起動していながらも、どのように電力を節約するかについて、いくつかの課題を提示する。一般的に、ＡＰ４１０とリーフＳＴＡ４２０との間のすべての中継器４３０（Ｒ１〜Ｒ５）は、小さなかたまりのデータを送信（中継）するために、迅速に低電力状態を出る（起動する）ことができる必要があるかもしれない。ＳＴＡ４２０のような局に対して、電力を節約することと、より低い電力状態を出てデータを受信することについて、同様の課題が提示されるかもしれない。
【００３８】
［００５１］
ここで提示されている技術は、デバイスが電力を節約して、制限された量のメモリで動作できるようにする電力セーブプロトコルの一部と考えてもよい。
【００３９】
［００５２］
以下にさらに詳細に説明するように、バッテリー電力を節約するために、中継ノードや他のユーザ機器のようなデバイスは、低電力状態（例えば、無線コンポーネントが電源切断されるスリープモード）に入るようにも構成されていてもよい。いくつかのケースにおいて、中継ノードがデータを送受信するかもしれない、スケジューリングされた起動期間で、中継ノードが構成されていてもよい。しかしながら、電力を節約するために、各起動期間に低電力状態を出るよりもむしろ、１つ以上の条件が満たされたとき（例えば、中継ノードが送信するためのデータ、または、受信するためのデータがあるという表示があるとき）にのみ、中継器は、低電力状態を出ることを決めてもよい。
【００４０】
［００５３］
一般的に、ＡＰおよびＳＴＡは、同様の（例えば、対称的な、または、相補的な）動作を実行してもよい。したがって、ここで説明する技術の多くに対して、ＡＰまたはＳＴＡは、同様の動作を実行してもよい。そのために、以下の説明は、動作がいずれによって実行されてもよいことを反映するために、ときには「ＡＰ／ＳＴＡ」を指すだろう。たとえ「ＡＰ」または「ＳＴＡ」のみを使用しても、対応する動作またはメカニズムを、そのタイプのデバイスに限定することを意味するものではないことを理解すべきである。
【００４１】
［００５４］
図５は、本開示の態様にしたがった、階層的な起動期間を利用するための例示的な動作５００のブロックダイヤグラムである。エンドポイント局としてまたは中継器として機能するかもしれない局のような装置によって、動作５００を実行してもよい。
【００４２】
［００５５］
５０２において、ワイヤレスデバイスにデータを送信するために、または、ワイヤレスデバイスからデータを受信するために、装置が無線機能をイネーブルすることを選択する複数の起動期間を、装置が識別する。５０４において、装置は、起動期間のうちの少なくともいくつかに対して、１つ以上の条件に基づいて、無線機能をイネーブルするか否かを決定する。５０６において、送信されることになるデータまたは受信されることになるデータがあることを１つ以上の条件が示す場合、装置は、無線機能をイネーブルする。
【００４３】
［００５６］
図６は、本開示の態様にしたがった、階層的な起動期間を利用するための例示的な動作６００のブロックダイヤグラムである。アクセスポイントとして機能する局のような装置によって、動作６００を実行してもよい。
【００４４】
［００５７］
６０２において、ワイヤレスデバイスにデータを送信するために、または、ワイヤレスデバイスからデータを受信するために、局が無線機能をイネーブルすることを選択する複数の起動期間を、装置が１つ以上の局にシグナリングする。６０４において、装置は、起動期間のうちの少なくともいくつかに対して、１つ以上の条件に基づいて、無線機能をイネーブルするか否かを決定する。６０６において、受信されることになるデータまたは送信されることになるデータがあることを１つ以上の条件が示す場合、装置は、無線機能をイネーブルする。
【００４５】
［００５８］
図７は、本開示の態様にしたがった、提案されるタイミングスキームの一般的な概念を図示している例示的なタイミングダイヤグラムである。図示しているように、起動バースト７００内で、小さなかたまりのデータを中継器に送ってもよく、そして、中継器は、それらを直ちに転送する。ロングスリープは、複数秒（例えば、１０秒またはそれ以上まで）のオーダー中にあってもよい。起動バーストは、複数の１００ミリ秒（例えば、５００ミリ秒）のオーダー中にあってもよい一方、各「無線ＯＮ」期間（７３０、７４０および７５０）は、数１０ミリ秒のオーダー中にあってもよい。電力を節約するために、転送／受信されることになるデータがない場合、中継器／ＳＴＡは、起動バーストに対して、起動しないように構成されていてもよい。
【００４６】
［００５９］
起動バースト７００は、構成されている（周期的な）ＴＷＴまたは制限されたアクセスウィンドウ（ＲＡＷ）のような、何らかの決定された起動期間に対応していてもよい。ダウンリンク（ＤＬ）ＴＷＴに対して、ＳＴＡ１は、少なくとも最小の時間量の間、ＳＴＡ１が起動することが必要とされる時間について合意するように、別のＡＰに依頼してもよい。ＡＰは、その時間を使用して、ＳＴＡ１への送信を開始できる。アップリンク（ＵＬ）ＴＷＴは、同様の方法において動作してもよいが、正反対に、局は、その時間を使用して、ＡＰへの送信を開始する。いくつかのケースにおいて、ＴＷＴは、周期的に生じてもよい。
【００４７】
［００６０］
残念ながら、従来のＴＷＴコンフィギュレーションでは、たとえトラフィックがないときでも、ＳＴＡ／ＡＰの両方が各ＴＷＴにおいて起動している。トラフィックがない事象において、これは結果として無駄な電力の浪費となる。しかしながら、ここで提示したある態様にしたがうと、ＴＷＴの使用を制御するために、さまざまなルールを設計してもよい。これは、適応電力セーブスケジュールの規定を可能にするかもしれない。
【００４８】
［００６１］
例えば、電力を節約するために、起動期間（例えば、ＴＷＴ）毎に低電力状態を出るよりむしろ、ＴＷＴ（または他の起動期間）におけるＳＴＡ／ＡＰの挙動は、追加の条件に依存していてもよい。例えば、ＴＷＴは、追加の条件が満たされている場合のみ有効であってもよく（デバイス起動を意味している）、そうでなければ、ＡＰ／ＳＴＡはスリープできる。例えば、ＤＬ  ＴＷＴは、（例えば、以前のＴＷＴの、ビーコンまたはＵＬＰまたは他のタイプのメッセージにおいて）以前の時間において示されたように、ＳＴＡに対するデータがある場合のみ有効であってもよい。同様に、（例えば、以下で説明するように、１次ＴＷＴにおいて）以前の時間において示されたように、ＳＴＡからのＡＰに対するデータがある場合のみ、ＵＬ  ＴＷＴは、有効であってもよい。
【００４９】
［００６２］
いくつかのケースにおいて、２タイプのＴＷＴ：従属性に関する以下のルールを有する、１次タイプおよび２次タイプを、規定してもよい。いくつかのケースにおいて、ＳＴＡは、１次ＴＷＴにおいて起動するように要求されてもよい。一方、２次ＴＷＴに対して、ＳＴＡ／ＡＰは、ある事象が１次ＴＷＴにおいて起きる場合のみ、起動するように要求されてもよい。そうでなければ、ＳＴＡ／ＡＰは、２次ＴＷＴにおいてスリープできる。ＤＬ  ＴＷＴ（例えば、ＳＴＡに対するデータ送信）に対して、適切な条件は、ＳＴＡに対するデータ、または、ＳＴＡに対するさらなるデータがあることをＡＰが１次ＴＷＴにおいて示したことであってもよい。ＵＬ  ＴＷＴに対して、適切な条件は、送るためのさらなるＵＬデータをＳＴＡが有していることをＳＴＡが１次ＴＷＴにおいて示したことであってもよい。
【００５０】
［００６３］
ある態様にしたがうと、１次ＴＷＴは、周期的な起動によって規定してもよく、２次ＴＷＴは、より多くのバッファ可能なユニット（以後「ＢＵ」）があるか否かに基づいている「オンデマンド」であってもよい。１次ＴＷＴから開始している現在のＴＷＴにおいて、ブロック肯定応答ＴＷＴ（以後「ＢＡＴ」）、ショートＴＷＴ肯定応答（以後「ＳＴＡＣＫ」）、または、ＴＷＴ肯定応答（以後「ＴＡＣＫ」）のような既存のフレームを潜在的に使用することによって、担当ＳＴＡは、次のＴＷＴについての情報を送ることができる。例として、ＡＰにおいて、ＳＴＡ１に対するユニキャストＢＵがある場合、ＡＰは、次の周期的な１次ＴＷＴにおいて、それらのすべてを送るように試行するかもしれない。しかしながら、１次ＴＷＴ時間が、すべてのＢＵを送るのに不十分である場合、ＡＰは、次の「オンデマンド」ＴＷＴの表示を送ってもよく、例えば、送信されることになるＢＵの残りを受信するために示されたＴＷＴにおいて局が起動すべきであることをシグナリングする。「オンデマンド」ＴＷＴのシグナリングは、すべてのパケットが送られるまで、必要に応じて繰り返してもよい。最後に、暗黙的に（例えば、ＡＰが「次のＴＷＴ」表示をもはや送らないだろう）、または、明示的に（例えば、ＡＰが「オンデマンドＴＷＴの最後」フレームをＳＴＡに送ってもよい）のいずれかで、「オンデマンド」ＴＷＴが、これ以上ないことをＳＴＡ１は知るだろう。いずれのケースにおいても、ＳＴＡは、１次ＴＷＴの次の周期までスリープできる。
【００５１】
［００６４］
ある態様にしたがうと、例えば、各２次ＴＷＴが（例えば、識別子によって）その１次ＴＷＴにリンクされて、１次ＴＷＴ毎に、複数の２次ＴＷＴがあってもよい。どの２次ＴＷＴが有効である（ＳＴＡが、そのＴＷＴに対して起動するだろうことを意味している）かは、１次ＴＷＴのときに起きる事象に基づいていてもよい。例えば、ＡＰは、ＳＴＡに対するユニキャストデータがあることを示していてもよく、第１の（タイプの）２次ＴＷＴ（例えば、ＴＷＴ１）を使用してもよい一方、ＡＰは、マルチキャストデータがあることを示していてもよく、第２の（タイプの）２次ＴＷＴ（例えば、ＴＷＴ２）を使用してもよい。ある態様にしたがうと、１次ＴＷＴおよび２次ＴＷＴは、単一の情報エレメント（以後「ＩＥ」）において同時に規定してもよい。いくつかのケースにおいて、ＩＥは、ＴＷＴが１次ＴＷＴであるか、または、２次ＴＷＴであるかを示していてもよい。
【００５２】
［００６５］
いくつかのケースにおいて、１次ＴＷＴおよび２次ＴＷＴの周期的な間隔は、異なっていてもよい。さらに、いくつかのケースにおいて、２次ＴＷＴは、１次ＴＷＴに関して、オフセットして開始してもよい。これは、１次ＴＷＴを複数の中継局に下方伝播できるようにするかもしれない。中継器／ＳＴＡを起動するのに１次ＴＷＴを使用する場合、これは、２次ＴＷＴにおいてデータを開始する前に、すべての中継器を起動できるようにするかもしれない。さらに、各ＴＷＴにおいて伝送されるデータの量を制限するために、ＳＴＡ／ＡＰは、ＳＴＡ／ＡＰが各ＴＷＴにおいて受け入れるだろう、バイト、または、ＭＳＤＵ（メディアアクセス制御（ＭＡＣ）サービスデータユニット）、または、ＭＰＤＵ（ＭＡＣプロトコルデータユニット）、または、ＰＰＤＵ（物理レイヤ収束プロトコル（ＰＬＣＰ）プロトコルデータユニット）の最大数を示していてもよい。代替として、ＳＴＡ/ＡＰは、各ＴＷＴで起動しているだろう最大の時間量を示していてもよい。２次ＴＷＴは、伝送されることになるこれ以上のデータが利用可能でなくなる（例えば、ＭＡＣヘッダにおいて、さらなるデータ＝０によって示してもよい）まで、有効であってもよい。
【００５３】
［００６６］
いくつかのケースにおいて、第１のＴＷＴオプション（例えば、オプション１）にしたがうと、送信機は、データを配信する前に、「ポール」を予期してもよい。データを配信する前にポールを受信することの予期は、好ましいＴＷＴに対する必要性をなくすかもしれないので、受信機ＳＴＡがその起動サイクルを制御したい場合、このアプローチは有用であるかもしれず、受信機ＳＴＡが、どのくらいのデータ（例えば、ＰＳポール毎に１ＭＰＤＵのみ、または、トリガフレーム毎にＭＰＤＵの最大数のみ）を受信するかを制御したい場合、有用であるかもしれない。送信機（例えば、ＡＰ）は、その後、ポールを受信できる各ＴＷＴにおいて、起動する必要があるかもしれない。
【００５４】
［００６７］
第２のＴＷＴオプション（例えば、オプション２）にしたがうと、送信機は、ポールを待つことなくデータを送ってもよい。このアプローチは、オーバーヘッドがより少なくなるかもしれないが、データがあり得るかもしれない各ＴＷＴにおいて起動しているように、受信機に要求するかもしれない。代替として、送信機は、まず、ＳＴＡが起動しているか否かテストするために、１に設定された（すなわち、伝送されることになるさらなるデータが利用可能であることを示している）さらなるデータフィールドを有するショートデータフレームを送ることができる。送信機は、送るためのデータを有しないときはいつでも、スリープできる。
【００５５】
［００６８］
ＴＷＴオプション１（例えば、ここで、受信機はデータに対してポーリングするためのポールを使用する）を仮定して、ＴＩＭ（トラフィックインジケーションマップ）ＳＴＡ（すなわち、ビーコンを読んで、ＳＴＡへの送信のために、データが利用可能か否か見ることができるＳＴＡ）に対して、ＴＩＭ  ＳＴＡが、まず、別々にセットアップされた、ビーコンまたはアップリンクページ（以後「ＵＬＰ」）のうちのいずれかを読むことを予期してもよい。ここで提案した技術にしたがうと、以前のビーコン／ＵＬＰを読むことから、ＢＵがあることをＳＴＡが知らない限り、ＳＴＡは、ＰＳポール（またはトリガフレーム）を送るべきでない。
【００５６】
［００６９］
ＡＰがスリープしていると仮定した場合、コンテンションで、ビーコン／ＴＷＴの直後にＰＳポール（またはトリガフレーム）を送ってもよい。ＳＴＡは、その後、次のＴＷＴを待ってもよい。また、トリガフレームを使用して、ページングされたＳＴＡに対するＲＡＷにおいて、または、ＤＬに対する次のＴＷＴにおいて、または、ＵＬに対する次のＴＷＴにおいて、ＰＳポールを送ってもよい。
【００５７】
［００７０］
非ＴＩＭ  ＳＴＡ（例えば、ビーコンを読まないで、ＡＰを単にポーリングして、データがあるか否かを見るＳＴＡ）に対して、ＳＴＡがＰＳポール（または、トリガフレーム）を１次ＴＷＴにおいて送るように、「１次」ＤＬ  ＴＷＴを規定してもよい。ＰＳポールに対するＡＣＫが、データがないことを示している場合、ＳＴＡはスリープに戻って、次の１次ＴＷＴにおいて再び試行する。そうでなければ、ＡＰはデータで直接的に応答してもよく、または、データが送られるだろうことを示して応答してもよく、データの送信が完了するまで、ＳＴＡはＴＷＴを使用し続けることができる。データがないことが示された場合、２次ＴＷＴは、有効である必要がない。
【００５８】
［００７１］
図８は、本開示の態様にしたがった、目標起動時間情報を含んでいるフレームを送信するための動作８００のブロックダイヤグラムである。送信機として機能する局のような装置によって、動作８００を実行してもよい。
【００５９】
［００７２］
動作８００は、８０２において開始し、ここで装置は、ＴＷＴに対するタイミング情報と、タイミング情報が適用されるＴＷＴの識別とを含んでいるフレームを発生させてもよい。８０４において、装置は、受信者局への送信のためにフレームを出力する。
【００６０】
［００７３］
図９は、本開示の態様にしたがった、目標起動時間情報を含んでいるフレームを受信するための動作９００のブロックダイヤグラムである。受信機として機能する局のような装置によって、動作９００を実行してもよい。
【００６１】
［００７４］
動作９００は、９０２において開始してもよく、ここで装置は、フレームを受信する。９０４において、装置は、ＴＷＴに対するタイミング情報と、タイミング情報が適用されるＴＷＴの識別とをフレームから取得する。９０６において、装置は、フレームから取得されたタイミング情報に基づいて、識別されたＴＷＴに対する起動期間を更新する。
【００６２】
［００７５］
さまざまなフレームは、次のＴＷＴを示しているフィールドを含んでいてもよい。典型的に、アクセスポイントは、ＴＷＴサービス期間の間にフレームを送信して、ワイヤレスデバイス間で１つより多くのＴＷＴが交渉されているときに、フレームによってどのＴＷＴが取り扱われているかを、アクセスポイントに接続されているワイヤレスデバイスが決定できるようにすることができる。
【００６３】
［００７６］
本開示のある態様にしたがうと、アクセスポイントは、取り扱われている特定のＴＷＴの識別を含んでいるフレームを発生させてもよい。いくつかのケースにおいて、ＴＷＴ情報を含んでいるフレームは、制御応答フレームであってもよい。制御応答フレームは、例えば、ＴＡＣＫ、ＳＴＡＣＫまたはＢＡＴフレームであってもよい。
【００６４】
［００７７］
識別は、サポートされている別々のＴＷＴの数に相応するビット数を含むことができる。例えば、８つの別々のＴＷＴがサポートされている場合、識別は、少なくとも３ビットを含んでいてもよい。ＴＷＴ識別は、さまざまなフィールド中に配置することができる。例えば、自身のフィールドまたは既存のフィールド（例えば、制御応答フレームにおけるアドレスフィールド（例えば、アドレス１（Ａ１）フィールド）、受信者アドレス（ＲＡ）フィールド、送信機アドレス（ＴＡ）フィールド、期間フィールド、ペンタパーシャルタイムスタンプフィールド、または、次のＴＷＴフィールド）において、ＴＷＴ識別を送信できる。ＴＷＴ識別は、複数のフィールドにまたがっていてもよく、または、フィールド内のサブフィールド中に含まれていてもよい。例えば、制御応答フレームにおけるＡ１フィールドのサブフィールドであるかもしれない、ＴＷＴフロー識別子サブフィールド中に、ＴＷＴ識別を提供することができる。ＴＷＴ識別は、ＴＷＴ情報を含んでいるフレームの、最上位ビットまたは最下位ビット内に配置してもよい。例えば、ＴＷＴタイミング情報を含んでいるフィールド内のビット数として、ＴＷＴ識別は含まれていてもよい。
【００６５】
［００７８］
ＴＷＴ情報と特定のＴＷＴの識別とを含んでいるフレームは、ＴＷＴサービス期間の間に、または、ＴＷＴサービス期間外に送信できる。ＴＷＴ情報がＴＷＴサービス期間の間に、または、ＴＷＴサービス期間外に送信されるか否かに関わらず、ワイヤレスデバイスによってＴＷＴ識別情報を使用して、ＴＷＴ  ＩＤと特定のＴＷＴ期間との間のマッピングを決定することができる。
【００６６】
［００７９］
上記で説明した方法のさまざまな動作を、対応する機能を実行することができる任意の適切な手段によって実行してもよい。手段は、回路、特定用途向け集積回路（ＡＳＩＣ）またはプロセッサを含んでいる、しかしこれらに限定されない、さまざまなハードウェアおよび／またはソフトウェアコンポーネントおよび／またはモジュールを含んでもよい。一般的に、図面中に図示している動作がある場合、これらの動作は、同様のナンバリングを有する、対応する対応ミーンズプラスファンクションコンポーネントを有していてもよい。例えば、図５、図６、図８および図９において図示している、動作５００、動作６００、動作８００および動作９００は、図５Ａ、図６Ａ、図８Ａおよび図９Ａにおいてそれぞれ図示している、手段５００Ａ、手段６００Ａ、手段８００Ａおよび手段９００Ａに対応している。
【００６７】
［００８０］
例えば、送信する手段は、図２中で図示しているアクセスポイント１１０の、送信機（例えば、送信機ユニット２２２）および／またはアンテナ２２４を、あるいは、図３中で図示している送信機３１０および／またはアンテナ３１６を備えていてもよい。受信する手段は、図２中で図示しているアクセスポイント１１０の、受信機（例えば、受信機ユニット２２２）および／またはアンテナ２２４を、あるいは、図３中で図示している受信機３１２および／またはアンテナ３１６を備えていてもよい。処理する手段、決定する手段、検出する手段、スキャンする手段、選択する手段、または、動作を終了させる手段は、処理システムを備えていてもよく、処理システムは、図２中で図示しているアクセスポイント１１０の、ＲＸデータプロセッサ２４２やＴＸデータプロセッサ２１０および／または制御装置２３０のような、１つ以上のプロセッサを、あるいは、図３中で描いているプロセッサ３０４および／またはＤＳＰ３２０を含んでいてもよい。
【００６８】
［００８１］
ある態様にしたがうと、高速のアソシエーションを実行するために、上記で説明したさまざまなアルゴリズムを実現することによって（例えば、ハードウェア中で、または、ソフトウェア命令を実行することによって）、対応する機能を実行するように構成されている処理システムによって、このような手段を実現してもよい。例えば、起動期間を識別する手段は、（例えば、ＩＥを介して）コンフィギュレーションに基づいて、起動期間を識別するアルゴリズムを実行する処理システムによって実現してもよく、起動期間の間に無線機能をイネーブルするか否かを決定する手段は、入力として、起動期間と、データの存在が示されているか否かとを取り込むアルゴリズムを実行する（同一または異なる）処理システムによって実現してもよく、一方、無線機能をイネーブルする手段は、入力として、決定する手段からの決定を取り込み、それにしたがって、無線機能をイネーブル／ディセーブルするために信号を発生させるアルゴリズムを実行する（同一または異なる）処理システムによって実現してもよい。
【００６９】
［００８２］
ここで使用したような、用語「決定する」は、幅広いさまざまなアクションを含んでいる。例えば、「決定する」は、算出する、計算する、処理する、導出する、調べる、検索する（例えば、表、データベース、または、別のデータ構造中において検索する）、確認する、および、これらに類するものを含んでいてもよい。また、「決定する」は、受信する（例えば、情報を受信する）、アクセスする（例えば、メモリ中のデータにアクセスする）、および、これらに類するものを含んでいてもよい。また、「決定する」は、解決する、選択する、選ぶ、確立する、および、これらに類するものを含んでいてもよい。
【００７０】
［００８３］
ここで使用したような、アイテムのリスト「のうちの少なくとも１つ」を指すフレーズは、単一のメンバーを含む、これらのアイテムの何らかの組み合わせのことを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図されている。
【００７１】
［００８４］
本開示に関連して説明した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス（ＰＬＤ）、ディスクリートゲートまたはトランジスタロジック、ディスクリートハードウェアコンポーネント、あるいは、ここで説明した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現してもよい。
【００７２】
［００８５］
１つ以上の態様において、説明されている機能は、ハードウェア、ソフトウェア、ファームウェア、またはそれらの任意の組み合わせで実現してもよい。ソフトウェアで実現する場合、機能は、１つ以上の命令またはコードとしてコンピュータ読取可能媒体上に記憶されてもよく、あるいは、１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、コンピュータによってアクセスできる何らかの利用可能な媒体であってもよい。限定ではなく例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはコンピュータによってアクセスできる命令またはデータ構造の形態で所望のプログラムコードを運ぶまたは記憶するために使用できる他の何らかの媒体を含むことができる。また、任意の接続は、コンピュータ読取可能媒体と適切に呼ばれる。例えば、同軸ケーブル、光ファイバケーブル、ツイストペア線、デジタル加入者線（ＤＳＬ）、あるいは、赤外線や、無線や、マイクロ波のようなワイヤレス技術を使用して、ウェブサイト、サーバ、または、他の遠隔ソースから、ソフトウェアが送信される場合、同軸ケーブル、光ファイバケーブル、ツイストペア線、ＤＳＬ、または、赤外線や、無線や、マイクロ波のようなワイヤレス技術は、媒体の定義に含まれる。ここで使用したような、ディスク（Ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、磁気的にデータを再生する一方で、ディスク（ｄｉｓｃ）はレーザにより光学的にデータを再生する。したがって、いくつかの態様では、コンピュータ読取可能媒体は、一時的ではないコンピュータ読取可能媒体（例えば、有形の媒体）を含んでもよい。加えて、いくつかの態様では、コンピュータ読取可能媒体は、一時的なコンピュータ読取可能媒体（例えば、信号）を含んでもよい。上記の組み合わせもまた、コンピュータ読取可能媒体の範囲内に含まれるべきである。
【００７３】
［００８６］
したがって、ある態様は、ここで提示した動作を実行するためのコンピュータプログラムプロダクトを含んでもよい。例えば、このようなコンピュータプログラムプロダクトは、その上に記憶されている（および／またはエンコードされている）命令を有するコンピュータ読取可能媒体を含んでもよく、命令は、ここで記述した動作を実行するために、１つ以上のプロセッサにより実行可能である。ある態様では、コンピュータプログラムプロダクトは、パッケージングマテリアルを含んでいてもよい。
【００７４】
［００８７］
ここで開示した方法は、説明した方法を達成するための１つ以上のステップまたはアクションを含んでいる。方法ステップおよび／あるいはアクションは、特許請求の範囲から逸脱することなく、互いに交換可能であってもよい。言い換えると、ステップまたはアクションの特定の順序が指定されていない限り、特定のステップおよび／またはアクションの順序および／または使用は、特許請求の範囲から逸脱することなく、修正してもよい。
【００７５】
［００８８］
ソフトウェアまたは命令はまた、送信媒体を通して送信できる。例えば、同軸ケーブル、光ファイバケーブル、ツイストペア線、デジタル加入者回線（ＤＳＬ）、あるいは、赤外線、無線、およびマイクロ波のようなワイヤレス技術を使用して、ウェブサイト、サーバ、または、他の遠隔ソースから、ソフトウェアが送信される場合、同軸ケーブル、光ファイバケーブル、ツイストペア線、ＤＳＬ、あるいは、赤外線、無線、およびマイクロ波のようなワイヤレス技術は、送信媒体の定義中に含まれる。
【００７６】
［００８９］
さらに、ここで説明した方法および技術を実行するモジュールおよび／または他の適切な手段を、ユーザ端末および／または基地局によって、適宜、ダウンロードできる、および／または、そうでなければ取得できると正しく認識すべきである。例えば、このようなデバイスは、ここで説明した方法を実行する手段の転送を促進するために、サーバに結合できる。代替的に、ここで説明したさまざまな方法は、記憶手段をデバイスに結合または提供する際、ユーザ端末および／または基地局がさまざまな方法を得ることができるように、記憶手段（例えば、ＲＡＭ、ＲＯＭ、コンパクトディスク（ＣＤ）またはフロッピーディスクのような物理記憶媒体、等）を介して提供することができる。さらに、ここで説明した方法および技術をデバイスに提供するための、他の何らかの適切な技術が利用できる。
【００７７】
［００９０］
特許請求の範囲は、上記で説明した正確なコンフィギュレーションおよびコンポーネントに限定されないと理解すべきである。さまざまな改良、変更、および、バリエーションが、上記で説明した方法ならびに装置の構成、動作、および、詳細において、特許請求の範囲から逸脱することなく行われてもよい。
以下に、出願当初の特許請求の範囲に記載された発明を付記する。
［１］ワイヤレス通信のための装置において、
目標起動時間（ＴＷＴ）に対するタイミング情報と、前記タイミング情報を適用するＴＷＴの識別とを含むフレームを発生させるように構成されている処理システムと、
送信のために前記フレームを出力するように構成されているインターフェースとを具備する装置。
［２］前記フレームは、前記識別によって識別されたＴＷＴに対して以前に示されたサービス期間外での送信のために出力される［１］記載の装置。
［３］前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される［１］記載の装置。
［４］前記フレームは、制御応答フレームを含む［１］記載の装置。
［５］前記制御応答フレームは、ＴＷＴ肯定応答（ＴＡＣＫ）フレーム、ショートＴＷＴ肯定応答（ＳＴＡＣＫ）フレーム、または、ブロック肯定応答ＴＷＴ（ＢＡＴ）フレームを含む［４］記載の装置。
［６］前記識別は、前記制御応答フレームのフィールドを介して提供され、前記フィールドは、前記制御応答フレームのタイプに少なくとも部分的に依存している［４］記載の装置。
［７］前記識別は、前記制御応答フレーム中のＡ１フィールド中に含まれるＴＷＴフロー識別子サブフィールド中で提供される［４］記載の装置。
［８］前記識別を運ぶフィールドのサイズは、少なくとも３ビットである［３］記載の装置。
［９］ワイヤレス通信のための方法において、
目標起動時間（ＴＷＴ）に対するタイミング情報と、前記タイミング情報を適用するＴＷＴの識別とを含むフレームを発生させることと、
送信のために前記フレームを出力することとを含む方法。
［１０］前記フレームは、前記識別によって識別されたＴＷＴに対して以前に示されたサービス期間外での送信のために出力される［９］記載の方法。
［１１］前記識別は、前記フレーム中の、アドレスフィールド、タイムスタンプフィールド、または、ＴＷＴに対するタイミング情報を運ぶフィールドのうちの少なくとも１つの、１つ以上のビットを介して提供される［９］記載の方法。
［１２］前記フレームは、制御応答フレームを含む［９］記載の方法。
［１３］前記制御応答フレームは、ＴＷＴ肯定応答（ＴＡＣＫ）フレーム、ショートＴＷＴ肯定応答（ＳＴＡＣＫ）フレーム、または、ブロック肯定応答ＴＷＴ（ＢＡＴ）フレームを含む［１２］記載の装置。
［１４］前記識別は、前記制御応答フレームのフィールドを介して提供され、前記フィールドは、前記制御応答フレームのタイプに少なくとも部分的に依存している［１２］記載の方法。
［１５］前記識別は、前記制御応答フレーム中のＡ１フィールド中に含まれるＴＷＴフロー識別子サブフィールド中で提供される［１２］記載の方法。
［１６］ワイヤレス通信のための装置において、
フレームを受信するように構成されているインターフェースと、
目標起動時間（ＴＷＴ）に対するタイミング情報と、前記タイミング情報を適用するＴＷＴの識別とを、前記フレームから取得し、
前記フレームから取得されたタイミング情報に基づいて、前記識別されたＴＷＴに対する起動期間を更新するように構成されている処理システムとを具備する装置。
［１７］前記フレームは、前記識別によって識別されたＴＷＴに対して以前に示されたサービス期間外で受信される［１６］記載の装置。
［１８］前記処理システムは、前記フレーム中の、アドレスフィールド、タイムスタンプフィールド、または、ＴＷＴに対するタイミング情報を運ぶフィールドのうちの少なくとも１つの、１つ以上のビットを介して、前記識別を取得するように構成されている［１６］記載の装置。
［１９］前記フレームは、制御応答フレームを含む［１６］記載の装置。
［２０］前記制御応答フレームは、ＴＷＴ肯定応答（ＴＡＣＫ）フレーム、ショートＴＷＴ肯定応答（ＳＴＡＣＫ）、または、ブロック肯定応答ＴＷＴ（ＢＡＴ）フレームを含む［１９］記載の装置。
［２１］前記処理システムは、前記制御応答フレームのフィールドを介して、前記識別を取得するように構成され、前記フィールドは、前記制御応答フレームのタイプに少なくとも部分的に依存している［１９］記載の装置。
［２２］前記処理システムは、前記制御応答フレーム中のＡ１フィールド中に含まれるＴＷＴフロー識別子サブフィールド中で前記識別を取得するように構成されている［１９］記載の装置。
［２３］前記識別を運ぶフィールドのサイズは、少なくとも３ビットである［１８］記載の装置。
［２４］ワイヤレス通信のための方法において、
フレームを受信することと、
目標起動時間（ＴＷＴ）に対するタイミング情報と、前記タイミング情報を適用するＴＷＴの識別とを、前記フレームから取得することと、
前記フレームから取得されたタイミング情報に基づいて、前記識別されたＴＷＴに対する起動期間を更新することとを含む方法。
［２５］前記フレームは、前記識別によって識別されたＴＷＴに対して以前に示されたサービス期間外で受信される［２４］記載の方法。
［２６］前記識別は、前記フレーム中の、アドレスフィールド、タイムスタンプフィールド、または、ＴＷＴに対するタイミング情報を運ぶフィールドのうちの少なくとも１つの、１つ以上のビットを介して取得される［２４］記載の方法。
［２７］前記フレームは、制御応答フレームを含む［２４］記載の方法。
［２８］前記制御応答フレームは、ＴＷＴ肯定応答（ＴＡＣＫ）フレーム、ショートＴＷＴ肯定応答（ＳＴＡＣＫ）、または、ブロック肯定応答ＴＷＴ（ＢＡＴ）フレームを含む［２７］記載の方法。
［２９］前記識別は、前記制御応答フレームのフィールドを介して取得され、前記フィールドは、前記制御応答フレームのタイプに少なくとも部分的に依存している［２７］記載の方法。
［３０］前記識別は、前記制御応答フレーム中のＡ１フィールド中に含まれるＴＷＴフロー識別子サブフィールド中で取得される［２７］記載の方法。
【図１】
0006456963.tif 000002
【図２】
0006456963.tif 000003
【図３】
0006456963.tif 000004
【図４】
0006456963.tif 000005
【図５】
0006456963.tif 000006
【図５Ａ】
0006456963.tif 000007
【図６】
0006456963.tif 000008
【図６Ａ】
0006456963.tif 000009
【図７】
0006456963.tif 000010
【図８】
0006456963.tif 000011
【図８Ａ】
0006456963.tif 000012
【図９】
0006456963.tif 000013
【図９Ａ】
0006456963.tif 000014